(57)【要約】      （修正有）【課題】水抜きパイプ施工時に、フィルタの脱落の虞がない水抜きパイプ装置及び製造方法を提供する。【解決手段】一端を開口させた状態で擁壁に埋設される水抜きパイプ装置１００であって、一端を擁壁から開口させる開口端２とし、他端を擁壁に埋設させる埋設端３とする、中空の水抜きパイプ１と、水抜きパイプ１の内部に挿入されるフィルタ体１０とを備え、フィルタ体１０は、硬質の部材で形成され、水抜きパイプ１に挿通可能な外形とすると共に開口部を形成した芯体１１と、芯体１１の開口部と側面を覆う可撓性を有する繊維状のフィルタ材２０とを備える。フィルタ体１０は、フィルタ材２０を押圧した状態の外径を、水抜きパイプ１の内径と同じか、これよりも小さくしており、フィルタ体１０を、水抜きパイプ１の埋設端３よりも内部に圧入させる。【選択図】図２
2019027175.tif 000002
【特許請求の範囲】
【請求項１】
一端を開口させた状態で擁壁に埋設される水抜きパイプ装置であって、
一端を擁壁から開口させる開口端とし、他端を擁壁に埋設させる埋設端とする、中空の水抜きパイプと、
前記水抜きパイプの内部に挿入されるフィルタ体と、
を備え、
前記フィルタ体は、
硬質の部材で形成され、水抜きパイプに挿通可能な外形とすると共に開口部を形成した芯体と、
前記芯体の開口部と側面を覆う可撓性を有するフィルタ材と、
を備え、
前記フィルタ体は、前記フィルタ材を押圧した状態の外径を、前記水抜きパイプの内径と同じか、これよりも小さくしており、
前記フィルタ体が、前記水抜きパイプの前記埋設端よりも内部に圧入されてなる水抜きパイプ装置。
【請求項２】
請求項１に記載の水抜きパイプ装置であって、
前記フィルタ体が、前記水抜きパイプの前記埋設端よりも１ｃｍ以上、内部に配置されてなる水抜きパイプ装置。
【請求項３】
擁壁に埋設される中空の水抜きパイプに取り付けて濾過するための水抜きパイプ用フィルタであって、
硬質の部材で形成され、水抜きパイプに挿通可能な外形とすると共に開口部を形成した芯体と、
前記芯体の開口部と側面を覆う可撓性を有する繊維状のフィルタ材と、
を備え、
前記フィルタ材を押圧した状態の外径を、前記水抜きパイプの内径と同じか、これよりも小さく形成して、水抜きパイプの埋設される端面よりも内部に圧入可能としてなる水抜きパイプ用フィルタ。
【請求項４】
請求項３に記載の水抜きパイプ用フィルタであって、
前記芯体が、水抜きパイプの内形に沿った円筒状に形成されてなる水抜きパイプ用フィルタ。
【請求項５】
請求項４に記載の水抜きパイプ用フィルタであって、
前記芯体の長さが、内径よりも短く形成されてなる水抜きパイプ用フィルタ。
【請求項６】
請求項１〜５のいずれか一項に記載の水抜きパイプ用フィルタであって、
前記芯体の一方の端面が、前記フィルタ材から表出されてなる水抜きパイプ用フィルタ。
【請求項７】
請求項１〜６のいずれか一項に記載の水抜きパイプ用フィルタであって、
前記フィルタ材が、繊維状に構成されてなる水抜きパイプ用フィルタ。
【請求項８】
請求項１〜７のいずれか一項に記載の水抜きパイプ用フィルタであって、
前記フィルタ材が、不織布で構成されてなる水抜きパイプ用フィルタ。
【請求項９】
擁壁に埋設される中空の水抜きパイプに取り付けて濾過するための水抜きパイプ用フィルタの製造方法であって、
硬質の部材で形成され、水抜きパイプに挿通可能な外形とすると共に開口部を形成した芯体を準備する工程と、
可撓性を有する繊維状のフィルタ材を、前記芯体の開口部と側面を覆う状態に固定する工程と、
を含み、
前記フィルタ材を押圧した状態の外径を、前記水抜きパイプの内径と同じか、これよりも小さく形成して、水抜きパイプの埋設される端面よりも内部に圧入可能としてなる水抜きパイプ用フィルタの製造方法。
【請求項１０】
請求項９に記載の水抜きパイプ用フィルタ装置の製造方法であって、
前記フィルタ材を固定する工程が、
前記芯材の側面及び端面に接着材を塗布する工程と、
前記フィルタ材で、前記接着材を塗布した芯材の開口部と側面を覆い、この状態で前記水抜きパイプと同型の接着用パイプの内部に圧入する工程と、
前記接着材を硬化させた後、前記接着用パイプから水抜きパイプ用フィルタ装置を抜く工程と
を含む水抜きパイプ用フィルタ装置の製造方法。
【請求項１１】
一端を開口させた状態で擁壁に埋設される水抜きパイプの施工方法であって、
擁壁の背面側を掘り返すと共に、一端を擁壁から開口させる開口端とし、他端を擁壁に埋設させる埋設端とする、中空の水抜きパイプを一以上配置して、コンクリートで固めて擁壁を形成する工程と、
前記一以上の水抜きパイプがコンクリートに固定された状態で、各水抜きパイプの内部に、埋設端側からそれぞれ、
硬質の部材で形成され、水抜きパイプに挿通可能な外形とすると共に開口部を形成した芯体と、
前記芯体の開口部と側面を覆う可撓性を有する繊維状のフィルタ材とを備え、前記フィルタ材を押圧した状態の外径を、前記水抜きパイプの内径と同じか、これよりも小さく形成したフィルタ体を挿入して、前記埋設端よりも前記水抜きパイプの内部側に配置する工程と、
前記擁壁の背面を埋め戻す工程と、
を含む水抜きパイプの施工方法。
【発明の詳細な説明】
【技術分野】
【０００１】
本発明は、擁壁や盛土等に設けられる水抜きパイプの背面側に取り付けて、砂礫等が水抜きパイプ内に流入するのを防止する水抜きパイプ用フィルタ、これを用いた水抜きパイプ装置及びその製造方法並びに水抜きパイプの施工方法に関する。
【背景技術】
【０００２】
擁壁、擁壁ブロック、石積壁、地盤等に埋め込まれた水抜きパイプ内には、この水抜きパイプの基端開口に面する背土から水（排水）が流入する。この排水は、水抜きパイプ内を流れた後、先端開口から排出される。しかしながら、水抜きパイプ内に排水が流入するに際しては、当該水抜きパイプ内に砂礫等も流入してしまい、この砂礫等の堆積によって当該水抜きパイプ内を排水が流れなくなるおそれがある。また、水抜きパイプ内に砂礫等が流入すると、背土に空洞が形成され、例えば、背土の崩壊や当該背土を覆う補強層の剥離等が生じるおそれがある。そこで、水抜きパイプの基端開口にフィルタを装着し、水抜きパイプ内に砂礫等が流入するのを防止する構造が採用されている（例えば特許文献１、２参照）。
【０００３】
このようなフィルタは、擁壁の施工時に取り付けられる。具体的には、壁面の前面で、擁壁を構築する部位の土砂を重機で除去し、コンクリートパネルで擁壁の型枠を構築し、水抜きパイプを配置した状態でコンクリートを打設する。そしてコンクリートの硬化後に、擁壁の背面側を埋め戻す。この埋め戻し作業の前に、水抜きパイプ用フィルタを、水抜きパイプの背面側から装着する。これによって、水抜きパイプ用フィルタをセットした水抜きパイプを埋設した擁壁が得られる。
【０００４】
このような水抜きパイプ用フィルタ装置９０の外形を、図１０、図１１の斜視図に示す。また水抜きパイプ用フィルタ装置９０を埋設した擁壁の断面図を図１２に、それぞれ示す。これらに図に示す水抜きパイプ用フィルタ装置９０は、有底円筒形状の筒状部９２と、その外周部から径方向外方へ延出したフランジ部９３とで構成されている。筒状部９２の底面には、格子状のフィルタ部９４が形成されている。また、筒状部９２の外周面には、フィン状の寸法調整部９５が軸方向に沿って径方向外方へ突出している。水抜きパイプ用フィルタ装置９０は、その全体がポリエチレン等の剛性を有しつつも比較的弾性にも富む合成樹脂材により一体的に成型されている。さらに筒状部９２には、フィルタ体９１が配置される。
【０００５】
この水抜きパイプ用フィルタ装置９０は、図１２に示すように、擁壁等の壁体９６を貫通する水抜きパイプ９７の埋戻し土砂９８側に臨む側の端部に取り付けられる。筒状部９２の外径は、水抜きパイプ９７の寸法誤差や埋設時の変形も考慮して水抜きパイプ９７の内径寸法よりも若干小さくされているが、寸法調整部９５が弾性変形して筒状部９２を水抜きパイプ９７内に確実に固定する。
【０００６】
また、壁体９６の土中側背面は、図１２に示すように鉛直面である場合だけでなく、図１３に示したように傾斜している場合もある。そのような場合であっても、フランジ部９３およびフィン状の寸法調整部９５の変形によってその傾斜角を吸収することができる。
【０００７】
しかしながら、この水抜きパイプ用フィルタ装置９０は、擁壁等の壁体９６を貫通する水抜きパイプ９７の埋戻し土砂９８側に臨む側の端部に被せているだけであり、図１４に示すように土砂の埋め戻し作業の際に、落下する土砂に押されて外れることがあった。土砂の埋め戻し作業時に水抜きパイプ用フィルタ装置９０が外れると、手作業で再度水抜きパイプ用フィルタ装置９０をセットし直す必要があり、作業効率が悪くなる。またフィルタが外れたことに気付かない場合は、水抜きパイプ用フィルタ装置９０がセットされていない水抜きパイプ９７が存在することとなってしまい、好ましくない。
【０００８】
加えて、図１５に示すように壁体９６の土中側背面の傾斜方向が、図１４に示すようにオーバーハング状態である場合には、水抜きパイプ９７の後端面に水抜きパイプ用フィルタ装置９０をセットしても、自重で外れるため、利用できないという問題もあった。
【先行技術文献】
【特許文献】
【０００９】
【特許文献１】特許第３６６４７１２号公報
【特許文献２】特許第５８５５８７７号公報
【発明の概要】
【発明が解決しようとする課題】
【００１０】
本発明は、このような背景に鑑みてなされたものであり、本発明の目的の一は、施工時の脱落の虞を低減した水抜きパイプ用フィルタ、これを用いた水抜きパイプ装置及びその製造方法並びに水抜きパイプの施工方法を提供することにある。
【課題を解決するための手段及び発明の効果】
【００１１】
上記目的を達成するため、本発明の第１の形態に係る水抜きパイプ装置によれば、一端を開口させた状態で擁壁に埋設される水抜きパイプ装置であって、一端を擁壁から開口させる開口端とし、他端を擁壁に埋設させる埋設端とする、中空の水抜きパイプと、前記水抜きパイプの内部に挿入されるフィルタ体とを備え、前記フィルタ体は、硬質の部材で形成され、水抜きパイプに挿通可能な外形とすると共に開口部を形成した芯体と、前記芯体の開口部と側面を覆う可撓性を有するフィルタ材とを備え、前記フィルタ体は、前記フィルタ材を押圧した状態の外径を、前記水抜きパイプの内径と同じか、これよりも小さくしており、前記フィルタ体を、前記水抜きパイプの前記埋設端よりも内部に圧入させることができる。上記構成により、擁壁の施工時に水抜きパイプの埋設端からフィルタ体が抜け落ちる事態を回避して、作業効率を向上させることができる。また水抜きパイプの内面と芯体の外面との隙間にフィルタ材を介在させることで、フィルタ材を濾材として利用することに加え、水抜きパイプ用フィルタを水抜きパイプの内部で安定的に保持するための部材にも兼用できる。
【００１２】
また、第２の形態に係る水抜きパイプ装置によれば、上記構成に加えて、前記フィルタ体を、前記水抜きパイプの前記埋設端よりも１ｃｍ以上、内部に配置することができる。
【００１３】
さらに、第３の形態に係る水抜きパイプ用フィルタによれば、擁壁に埋設される中空の水抜きパイプに取り付けて濾過するための水抜きパイプ用フィルタであって、硬質の部材で形成され、水抜きパイプに挿通可能な外形とすると共に開口部を形成した芯体と、前記芯体の開口部と側面を覆う可撓性を有する繊維状のフィルタ材と、を備え、前記フィルタ材を押圧した状態の外径を、前記水抜きパイプの内径と同じか、これよりも小さく形成して、水抜きパイプの埋設される端面よりも内部に圧入可能とすることができる。上記構成により、擁壁の施工時に水抜きパイプの埋設端からフィルタ体が抜け落ちる事態を回避して、作業効率を向上させることができる。
【００１４】
さらにまた、第４の形態に係る水抜きパイプ用フィルタによれば、上記何れかの構成に加えて、前記芯体を、水抜きパイプの内形に沿った円筒状に形成することができる。上記構成により、水抜きパイプの内面と芯体の外面との隙間にフィルタ材を圧入することで、水抜きパイプ用フィルタを水抜きパイプの内部で安定的に保持できる。
【００１５】
さらにまた、第５の形態に係る水抜きパイプ用フィルタによれば、上記何れかの構成に加えて、前記芯体の長さを、内径よりも短く形成することができる。上記構成により、水抜きパイプの内面と芯体の外面との隙間にフィルタ材を圧入することで、水抜きパイプ用フィルタを水抜きパイプの内部で安定的に保持できる。
【００１６】
さらにまた、第６の形態に係る水抜きパイプ用フィルタによれば、上記何れかの構成に加えて、前記芯体の一方の端面を、前記フィルタ材から表出させることができる。
【００１７】
さらにまた、第７の形態に係る水抜きパイプ用フィルタによれば、上記何れかの構成に加えて、前記フィルタ材を繊維状に構成することができる。上記構成により、水抜きパイプ用フィルタの透水性を高めることが可能となる。
【００１８】
さらにまた、第８の形態に係る水抜きパイプ用フィルタによれば、上記何れかの構成に加えて、前記フィルタ材を不織布で構成することができる。
【００１９】
さらにまた、第９の形態に係る水抜きパイプ用フィルタの製造方法によれば、上記何れかの構成に加えて、擁壁に埋設される中空の水抜きパイプに取り付けて濾過するための水抜きパイプ用フィルタの製造方法であって、硬質の部材で形成され、水抜きパイプに挿通可能な外形とすると共に開口部を形成した芯体を準備する工程と、可撓性を有する繊維状のフィルタ材を、前記芯体の開口部と側面を覆う状態に固定する工程と、を含み、前記フィルタ材を押圧した状態の外径を、前記水抜きパイプの内径と同じか、これよりも小さく形成して、水抜きパイプの埋設される端面よりも内部に圧入可能とすることができる。これにより、擁壁の施工時に水抜きパイプの埋設端からフィルタ体が抜け落ちる事態を回避して、作業効率を向上させることができる。
【００２０】
さらにまた、第１０の形態に係る水抜きパイプ用フィルタの製造方法によれば、上記何れかに加えて、前記フィルタ材を固定する工程が、前記芯材の側面及び端面に接着材を塗布する工程と、前記フィルタ材で、前記接着材を塗布した芯材の開口部と側面を覆い、この状態で前記水抜きパイプと同型の接着用パイプの内部に圧入する工程と、前記接着材を硬化させた後、前記接着用パイプから水抜きパイプ用フィルタ装置を抜く工程とを含むことができる。これにより、簡単な構成でフィルタ材を芯材に固定しつつ、水抜きパイプに挿入可能な形状に水抜きパイプ用フィルタ装置を形成することが可能となる。
【００２１】
さらにまた、第１１の形態に係る水抜きパイプの施工方法によれば、擁壁の背面側を掘り返すと共に、一端を擁壁から開口させる開口端とし、他端を擁壁に埋設させる埋設端とする、中空の水抜きパイプを一以上配置して、コンクリートで固めて擁壁を形成する工程と、前記一以上の水抜きパイプがコンクリートに固定された状態で、各水抜きパイプの内部に、埋設端側からそれぞれ、硬質の部材で形成され、水抜きパイプに挿通可能な外形とすると共に開口部を形成した芯体と、前記芯体の開口部と側面を覆う可撓性を有する繊維状のフィルタ材とを備え、前記フィルタ材を押圧した状態の外径を、前記水抜きパイプの内径と同じか、これよりも小さく形成したフィルタ体を挿入して、前記埋設端よりも前記水抜きパイプの内部側に配置する工程と、前記擁壁の背面を埋め戻す工程とを含むことができる。これにより、擁壁の施工時に水抜きパイプの埋設端からフィルタ体が抜け落ちる事態を回避して、作業効率を向上させることができる。また水抜きパイプの内面と芯体の外面との隙間にフィルタ材を介在させることで、フィルタ材を濾材として利用することに加え、水抜きパイプ用フィルタを水抜きパイプの内部で安定的に保持するための部材にも兼用できる。
【図面の簡単な説明】
【００２２】
【図１】本発明の一実施形態に係る水抜きパイプ装置を示す分解斜視図である。
【図２】図１の水抜きパイプ装置を背面側から見た分解斜視図である。
【図３】図１の水抜きパイプ装置を埋設した擁壁を示す断面図である。
【図４】図１の水抜きパイプ装置の背面図である。
【図５】図４の水抜きパイプ用フィルタの分解斜視図である。
【図６】図１の水抜きパイプ装置を埋設した擁壁の背面を埋め戻す工程を示す断面図である。
【図７】後端面が上向きに傾斜した水抜きパイプに水抜きパイプ用フィルタをセットした状態を示す断面図である。
【図８】図１の水抜きパイプ用フィルタの製造工程を示す透視図である。
【図９】図１の水抜きパイプ用フィルタの製造工程を示す透視図である。
【図１０】従来の水抜きパイプ用フィルタを示す斜視図である。
【図１１】図１０の水抜きパイプ用フィルタを背面側から見た斜視図である。
【図１２】水抜きパイプ用フィルタをセットした水抜きパイプを埋設した擁壁の一例を示す断面図である。
【図１３】水抜きパイプ用フィルタをセットした水抜きパイプを埋設した擁壁の他の例を示す断面図である。
【図１４】水抜きパイプ用フィルタをセットした水抜きパイプを埋設した擁壁の背面を埋め戻す工程を示す断面図である。
【図１５】水抜きパイプの後端面が上向きに傾斜した状態で、水抜きパイプ用フィルタをセットしようとする状態を示す断面図である。
【発明を実施するための形態】
【００２３】
以下、本発明の実施の形態を図面に基づいて説明する。ただし、以下に示す実施の形態は、本発明の技術思想を具体化するための水抜きパイプ用フィルタ、これを用いた水抜きパイプ装置及びその製造方法並びに水抜きパイプの施工方法を例示するものであって、本発明は水抜きパイプ用フィルタ、これを用いた水抜きパイプ装置及びその製造方法並びに水抜きパイプの施工方法を以下のものに特定しない。また、本明細書は特許請求の範囲に示される部材を、実施の形態の部材に特定するものでは決してない。特に実施の形態に記載されている構成部品の寸法、材質、形状、その相対的配置等は特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００２４】
以下、本発明の実施形態１に係る水抜きパイプ装置を図１〜図９に基づいて説明する。これらの図において、図１は本発明の一実施形態に係る水抜きパイプ装置１００を示す分解斜視図、図２は図１の水抜きパイプ装置１００を背面側から見た分解斜視図、図３は図１の水抜きパイプ装置１００を埋設した擁壁を示す断面図、図４は図１の水抜きパイプ装置１００の背面図、図５は図４の水抜きパイプ用フィルタの分解斜視図、図６は図１の水抜きパイプ装置１００を埋設した擁壁の背面を埋め戻す工程を示す断面図、図７は後端面が上向きに傾斜した水抜きパイプに水抜きパイプ用フィルタをセットした状態を示す断面図、図８は図５の水抜きパイプ用フィルタを背面から見た分解斜視図、図９は図１の水抜きパイプ用フィルタの製造工程を示す透視図を、それぞれ示している。これらの図に示す水抜きパイプ装置１００は、一端を開口させた状態で擁壁に埋設される。この水抜きパイプ装置１００は、埋設端に面する背土ＨＤ（図３等参照）から流入した排水を、開口端から排出する管である。
【００２５】
図１及び図２に示す水抜きパイプ装置１００は、水抜きパイプ１と、この水抜きパイプ１の内部に挿入されるフィルタ体１０とを備える。水抜きパイプ１は、図１及び図２に示すように中空状に形成される。図３の断面図に示すように、中空の一端を擁壁ＹＨから開口させる開口端２とし、他端を擁壁ＹＨに埋設させる埋設端３とする。この水抜きパイプ１は、例えば断面真円形状の硬質塩化ビニル管等によって構成される。ただ水抜きパイプ１の断面形状は、真円形状に限らず、楕円形状、方形状、多角形状とすることもできる。水抜きパイプ１の断面形状に応じて、フィルタ体１０の外形を設計する。また水抜きパイプ１の外径や内径、厚さ等は、特に限定されない。水抜きパイプ１は、強度等を重視して使用されるＶＰ管（いわゆる塩ビ厚肉管）等の厚肉管であっても、排水性等を重視して使用されるＶＵ管（いわゆる塩ビ薄肉管）等の薄肉管であってもよい。また、水抜きパイプ１の素材も特に限定されず、硬質塩化ビニルではなく、例えば金属等であってもよい。ここでは、塩ビ厚肉管ＶＰ６５（内径約６７ｍｍ、肉厚約４ｍｍ）を使用している。
（フィルタ体１０）
【００２６】
フィルタ体１０は、水抜きパイプ１の埋設端３に挿入されて、これを濾過する水抜きパイプ用フィルタを構成する。このフィルタ体１０は、芯体１１と、フィルタ材２０とを備える。芯体１１は、水抜きパイプ１に挿通可能な外形に形成される。また、中央に開口部１２を形成している。芯体１１の厚さは特に限定されないが、排水性の観点からは可及的に薄くするのが好ましい。また芯体１１の長さは特に限定されず、例えば、３〜１０ｃｍ、好ましくは５〜８ｃｍとする。ここでは、既製品の塩ビ厚肉管ＶＰ５０（内径５１ｍｍ、肉厚４ｍｍ）を輪切りにして使用している。
（フィルタ材２０）
【００２７】
フィルタ材２０は、透水性に優れた濾材である。このようなフィルタ材２０には、排水マットとして利用されている材質が種々利用できる。好適には繊維状の材質が利用でき、例えば不織布、具体的には土木用短繊維不織布やニードフルマットが利用できる。また樹脂製や金属製のメッシュを利用することもできる。あるいはヤシ繊維や合成繊維、ヤシ繊維を金網で被覆加工したもの等を利用してもよい。
【００２８】
フィルタ体１０は、図４の背面図に示すように芯体１１の開口部１２と側面を覆う。芯材は硬質の部材で構成され、一方フィルタ材２０は可撓性を有する部材で構成される。
【００２９】
このフィルタ体１０は、フィルタ材２０を押圧した状態の外径を、水抜きパイプ１の内径と同じか、これよりも小さくしている。これにより、フィルタ体１０を埋設端３から圧入可能としている。また水抜きパイプ１の内面と芯体１１の外面との隙間にフィルタ材２０を介在させることで、フィルタ材２０を濾材として利用することに加え、水抜きパイプ用フィルタを水抜きパイプ１の内部で安定的に保持するための部材にも兼用できる。
【００３０】
図５に示す例では、芯体１１は水抜きパイプ１の内形に沿った円筒状に形成されている。これにより、水抜きパイプ１の内部で、フィルタ体１０を安定的に保持できる。特に図４に示すように水抜きパイプ１の内面と芯体１１の外面との隙間ｃにフィルタ材２０を圧入することで、水抜きパイプ用フィルタを水抜きパイプ１の内部で安定的に保持できる。
【００３１】
また芯体１１の長さは、内径よりも短く形成することが好ましい。これによってフィルタ体１０を薄く構成して、軽量化や低コスト化を図ることができる。
【００３２】
さらにフィルタ体１０は、図３に示すように水抜きパイプ１の背面側、すなわち埋設端３よりも内部に圧入されている。これにより、擁壁ＹＨの施工時に水抜きパイプ１の埋設端３からフィルタ体１０が抜け落ちる事態を回避して、作業効率を向上させることができる。すなわち、擁壁ＹＨの施工時には、壁面の前面で、擁壁ＹＨを構築する部位の背土ＨＤを重機で除去し、コンクリートパネルで擁壁ＹＨの型枠を構築し、水抜きパイプ１を配置した状態でコンクリートを打設し、コンクリートの硬化後に、擁壁ＹＨの背面側を埋め戻す。この埋め戻し作業に先立ち、従来は図１０、図１１等に示す水抜きパイプ用フィルタ９０を用いて、図１２、図１３に示すように水抜きパイプ９７の埋設端に被せた上で、埋め戻し作業を行っていた。しかしながらこの構成では、図１４で示すように埋め戻し作業中に、水抜きパイプ用フィルタ９０が落下する土砂に押されて外れることがあった。
【００３３】
これに対して本実施形態に係る水抜きパイプ用フィルタ装置によれば、この埋め戻し作業の前に、フィルタ体１０を、水抜きパイプ１の埋設端３側から圧入することで、図６に示すようにフィルタ体１０が埋設端３から露出しないため、埋め戻し作業時に落下する土砂に触れて外れる虞を低減でき、確実に水抜きパイプ１の埋設端３にセットした状態で埋め戻し作業を終えることが可能となり、もって水抜きパイプ用フィルタ装置をセットした水抜きパイプ１を埋設した擁壁ＹＨを得ることができる。
【００３４】
またこのようにすることで、図７に示すように水抜きパイプ１の埋設端３がオーバーハング状態に傾斜されていても、埋設端３から内部に押し込まれたフィルタ体１０は埋設端３から抜け落ちることがない。特に埋め戻し作業に際しても、傾斜する埋設端３ではその内部に挿入されたフィルタ体１０が傾斜によって影になるため、落下する土砂に晒されるリスクが低減され、もって確実にフィルタ体１０を埋設端３の内部で保持できる利点が得られる。
【００３５】
フィルタ体１０を、水抜きパイプ１の埋設端３よりも押し込む深さは特に限定するものでないが、好ましくは１ｃｍ以上、より好ましくは５ｃｍ以上とする。
【００３６】
またフィルタ材２０は、芯体１１の全体を被覆する必要はなく、部分的に芯体１１を表出させてもよい。図４に示す例では、芯体１１の一方の端面、すなわち埋設端３に面する側の端縁を、フィルタ材２０で被覆せずに表出させている。この面はフィルタ材２０の濾過機能が要求されないため、フィルタ材２０の使用量を低減することでコスト削減に寄与する。またフィルタ体１０を水抜きパイプ１の埋設端３から押し込む際に、フィルタ体１０の内、芯体１１の露出された端縁を押し込むことで、硬質の部材を押圧でき、ユーザによる押し込み作業の作業性を向上させる効果も期待できる。
（水抜きパイプ用フィルタの製造方法）
【００３７】
ここで、水抜きパイプ用フィルタの製造方法を説明する。まず芯体１１を準備し、次にフィルタ材２０を、芯体１１の開口部１２と側面を覆う状態に固定する。例えば、図５に示すように芯材の側面及び端面に接着材３０を塗布する。次に接着材３０を塗布した芯材の開口部１２と側面をフィルタ材２０で覆う。なお接着材３０の塗布は、芯材側に限らず、フィルタ材２０側に塗布してもよいし、両方に塗布してもよい。
【００３８】
この状態で、図８に示すように水抜きパイプ１と同型の接着用パイプ４０の内部に圧入する。そして図９に示すように、接着用パイプ４０の内面でフィルタ材２０を押圧した状態で保持し、接着材３０を固化させる。接着材３０の固化は、接着材の種類に応じて自然放置としてもよいし、加熱環境下、冷却環境下、乾燥環境下などとしてもよい。
【００３９】
このようにして接着材３０を硬化させた後、接着用パイプ４０から水抜きパイプ用フィルタ装置を引き抜く。このようにしてパイプ用フィルタ装置を得ることができる。
（水抜きパイプ１の施工方法）
【００４０】
さらに、水抜きパイプ１を擁壁ＹＨに施工する施工方法について説明する。まず、擁壁ＹＨの背面側の背土ＨＤを掘り返すと共に、水抜きパイプ１を一以上配置して、コンクリートで固めて擁壁ＹＨを形成する。
【００４１】
次に水抜きパイプ１がコンクリートに固定された状態で、各水抜きパイプ１の内部に、埋設端３側からそれぞれフィルタ体１０を挿入する。ここでは埋設端３よりも水抜きパイプ１の内部側に配置する。
【００４２】
最後に擁壁ＹＨの背面の背土ＨＤを埋め戻す。このようにして水抜きパイプ１を擁壁ＹＨに施工することができる。
【００４３】
以上の水抜きパイプ装置１００及びフィルタ体１０によれば、極めて単純な形状としながら、施工時の特に埋め戻し作業の際にフィルタが水抜きパイプ１の後端から抜け落ちる事態を回避できる。それは、フィルタ体１０を水抜きパイプ１の後端すなわち埋設端３に被せて露出させるのでなく、水抜きパイプ１の内部に押し込む構成としたからである。また、水抜きパイプ１の埋設端３に圧入したフィルタ体１０が水抜きパイプ１内部で移動しないように固定するための緩衝材として、フィルタ材２０を兼用している。すなわち、フィルタ材２０の本来の機能である砂礫等が流入を阻止することに加えて、芯材と水抜きパイプ１の内面との間に介在させて、フィルタ体１０の固定機能も果たしている。このフィルタ体１０は、芯体１１の開口部１２から側面にかけて覆うように配置するのみで足りるので、構成が極めて簡単で安価に製造することができる。また、芯体１１は中空のパイプでよく、従来のようにメッシュ等を設ける必要もない。またフィルタ材２０の固定は、接着材３０で芯材に固定することに加えて、芯材と水抜きパイプ１の内面との間で挟持されるため、確実に保持される。このように、フィルタ体１０を簡単な構造としつつも、濾過機能に加えて、水抜きパイプ１内での保持と施工時の抜け落ち防止を確実に奏することができ、極めて便利に使用できる利点が得られる。
【産業上の利用可能性】
【００４４】
本発明の水抜きパイプ用フィルタ、これを用いた水抜きパイプ装置及びその製造方法並びに水抜きパイプの施工方法は、擁壁やブロック擁壁において、砂礫等が水抜きパイプ内に流入するのを防止する水抜きパイプのフィルタとして好適に利用できる。また水抜きパイプの開口端側から流入する水が埋設端側から背土に供給されて、背土を洗って再度外に流れ出す「吸い出し」を防止する吸い出し防止材や洗掘防止材として、好適に利用できる。
【符号の説明】
【００４５】
１００…水抜きパイプ装置
１…水抜きパイプ
２…開口端
３…埋設端
１０…フィルタ体
１１…芯体
１２…開口部
２０…フィルタ材
３０…接着材
４０…接着用パイプ
９０…水抜きパイプ用フィルタ装置
９１…フィルタ材
９２…筒状部
９３…フランジ部
９４…フィルタ部
９５…寸法調整部
９６…壁体
９７…水抜きパイプ
９８…埋戻し土砂
ＹＨ…擁壁
ＨＤ…背土
【図１】
2019027175.tif 000003
【図２】
2019027175.tif 000004
【図３】
2019027175.tif 000005
【図４】
2019027175.tif 000006
【図５】
2019027175.tif 000007
【図６】
2019027175.tif 000008
【図７】
2019027175.tif 000009
【図８】
2019027175.tif 000010
【図９】
2019027175.tif 000011
【図１０】
2019027175.tif 000012
【図１１】
2019027175.tif 000013
【図１２】
2019027175.tif 000014
【図１３】
2019027175.tif 000015
【図１４】
2019027175.tif 000016
【図１５】
2019027175.tif 000017